(57)【要約】【課題】  安全性に優れ、封入した錘が自然消滅することがなく、部品点数が少なく、かつ製作容易なゴルフ練習器具を提供することを目的とする。【解決手段】  グリップの先端に空洞化したヘッドを設け、該ヘッド内に粒状の錘を封入する。グリップの中心とヘッドの中心の間に所定の鈍角な角度を設ける。ヘッドとシャフトがプラスチックで一体成形される。錘をシャフトの端部から注入するための開口をシャフト端部に設ける。シャフトの開口をグリップで閉鎖される。ヘッドの一部に開口部が設けられている。粒状の錘は、砂もしくは小石もしくは金属製である。【選択図】図３
2010069280.tif 000002
【特許請求の範囲】
【請求項１】
グリップの先端に空洞化したヘッドを設け、該ヘッド内に粒状の錘を封入したことを特徴とするゴルフ練習器具。
【請求項２】
グリップの中心とヘッドの中心の間に所定の鈍角な角度を設けた請求項１記載のゴルフ練習器具。
【請求項３】
ヘッドとシャフトがプラスチックで一体成形された請求項１又は請求項２記載のゴルフ練習器具。
【請求項４】
錘をシャフトの端部から注入するための開口をシャフト端部に設けた請求項１又は請求項２記載のゴルフ練習器具。
【請求項５】
シャフトの開口をグリップで閉鎖した請求項４記載のゴルフ練習器具。
【請求項６】
ヘッドの一部に、錘を注入するための開口部を設けた請求項１又は請求項２記載のゴルフ練習器具。
【請求項７】
粒状の錘が砂もしくは小石又は金属製である請求項１又は請求項２記載のゴルフ練習器具。
【請求項８】
ヘッド内の一部に空間が形成されている請求項１又は請求項２記載のゴルフ練習器具。
【発明の詳細な説明】
【技術分野】
【０００１】  本発明はスイングすることにより、悪いクセを矯正し、正しい体の動きを身につけるため、又ゴルフに必要な筋力を鍛えるためのゴルフ練習器具に関するものである。
【背景技術】
【０００２】  従来、ゴルフスイングを矯正するため錘を用いた練習器具は、シャフトの長さを短くしてシャフト端部に錘を固定したものが知られている（例えば特許文献１参照）。
又、シャフトの端部に水を入れる容器を取り付けて水を入れることにより錘とするもの（例えば特許文献２参照）がある。
【特許文献１】特開２００１−３５３２４７号公報
【特許文献２】特表２００７−５０２１７６号公報
【発明の開示】
【発明が解決しようとする課題】
【０００３】  しかし上述の双方の従来技術においては、特許文献１のものにおいては、ヘッドが円柱状の金属製であり、短尺とは云え、実際のクラブ形状に非常に擬似し、室内でのスイングには極めて危険が伴う。特許文献２のものにおいては、シャフトの先端に水を入れる容器がねじで固定されており、水（液体）の漏れを予防するため、パッキンも介在している。液体は自然消滅（蒸発等）するので追加補充の必要が生じるたり、シャフトとヘッド（水の容器）が別体で、ねじ加工が必要であった。またスイング練習中の応力でパッキング部に大きな負荷が生じ、パッキンの変形で水もれが生じやすい。【０００４】  本発明においては安全性に優れ、封入した錘が自然消滅することがなく、部品点数が少なく、かつ製作容易なゴルフ練習器具を提供することを目的とする。
【課題を解決するための手段】
【０００５】  本発明は、上記の課題を解決するために、請求項１記載のゴルフ練習器具は、グリップの先端に空洞化したヘッドを設け、該ヘッド内に粒状の錘を封入したものである。【０００６】  又、請求項２記載のゴルフ練習器具は、請求項１記載の構成において、グリップの中心とヘッドの中心の間に所定の鈍角な角度を設けたものである。
又、請求項３記載のゴルフ練習器具は、請求項１又は請求項２記載の構成において、ヘッドとシャフトがプラスチックで一体成形されたものである。【０００７】  又、請求項４記載のゴルフ練習器具は、請求項１又は請求項２記載の構成において、錘をシャフトの端部から注入するための開口をシャフト端部に設けた物である。【０００８】又、請求項５記載のゴルフ練習器具は、請求項４記載の構成において、シャフトの開口をグリップで閉鎖したものである。【０００９】又、請求項６記載のゴルフ練習器具は、請求項１又は請求項２記載の構成において、ヘッドの一部に、錘を注入するための開口部を設けたものである。【００１０】又、請求項７記載のゴルフ練習器具は、請求項１又は請求項２記載の構成において、粒状の錘が砂もしくは小石もしくは金属製のものを用いたものである。【００１１】  請求項８記載のゴルフ練習器具は、請求項１又は請求項２記載の構成において、ヘッド内の一部に空間を形成したものである。
【発明の効果】
【００１２】  本発明によれば、極めてコンパクトな器具にて、狭い室内でもヘッドの重みに違和感なくスイングができ、ヘッドの表面がプラスチックでできているので、あまり危険性も伴わず、スイングの調整、リストターンの確認などが可能なだけでなく、筋力、体力の強化に有効である。又、錘に粒形を使用したことにより、重量調整が可能であるだけでなく、粒状物なので自然消滅することがなく、かつ封止が容易、確実である。またヘッドとシャフトは一体成形加工であり、従来技術のようなねじ加工、パッキンは不要で、少ない部品点数で構成できる。
【発明を実施するための最良の形態】
【００１３】  以下、本発明の実施形態について図面を参照して説明する。
図１は本発明の一実施例を示すゴルフ練習器具の正面図、図２は側面図である。
図３は側面図のＡ−Ａ断面図、図４は別の実施例を示す断面図である。
図５はさらに別の実施例を示す一部断面図である。【００１４】１は空洞１Ａを有するプラスチックで成形され、かえるの形状をしたヘッドで、シャフト２と一体成形されている。シャフト２の端部には開口３があり、ここから錘４が注入されている。錘４は粒状のもので、小石、砂、細かい鉄球のようなものでよい。錘４の量は、第３図に示すように空間に隙間無く詰め込まれている。５はゴルフクラブに通常使用されるグリップで、錘４を開口３より注入の後にシャフト２に被せて固定する。グリップ５は錘４の開口３を閉塞する蓋の役割も兼ねる。シャフト２の中心とヘッド１の中心には鈍角の角度αがついている。【００１５】  以上、本発明品の構造を説明したが、以下使用方法を説明する。
先ず、かえるの顔を手前にして、グリップしてアドレスをする。すると、ヘッド１に詰められた錘４の重みを感じる。シャフト２は短尺なのに、実際のクラブと同じ感覚でアドレスできる。次にスイングしてみると、グリップ５からやや角度のついた重みをもつヘッド１が遠心力で手首、肩、腰をスムーズに回転させてくれる。又、錘４をシャフト２、ヘッド１に空間を残して詰めたものは、スイング中に錘４が遠心力で引っ張られるので、手首、肩、腰の回転意識はさらに顕著に感じられる。
上記練習は、両手スイングだけでなく、左右の片手スイングにも有効であることは言うまでもない。又、別の効果として、片錘ダンベルとして使用すれば手首の強化にもなる。【００１６】  第４図は他の実施例を示し、一部に空間を残すように鍾４を詰め、スイング中に錘４が移動できるようにしたものでもよい。手首の返しがうまくできないときには有効である。【００１７】  さらに、図５に示す別の実施例では、止めネジ７を外して開口部６から錘４の出し入れをできるようにして、重量調整が容易に可能にしたものであり、強力な人から非力な人まで使用することができる。
【図面の簡単な説明】
【００１８】
【図１】本発明の一実施例を示すゴルフ練習器具の正面図
【図２】本発明の一実施例を示すゴルフ練習器具の側面図
【図３】図２のＡ−Ａ線断面図
【図４】本発明の別の実施例を示すゴルフ練習器具の断面図
【図５】本発明のさらに別の実施例を示すゴルフ練習器具の断面図
【符号の説明】
【００１９】  １  ヘッド
２  シャフト
３  開口
４  錘
５  グリップ
６  開口部
７  止めネジ
【図１】
2010069280.tif 000003
【図２】
2010069280.tif 000004
【図３】
2010069280.tif 000005
【図４】
2010069280.tif 000006
【図５】
2010069280.tif 000007